(57)【要約】      （修正有）【課題】風向風力を有効に制御し、風力を集中させて有効に運用することができる風力発電機の風向位置決め装置の提供。【解決手段】風力発電機は風力駆動ユニットと発電機ユニットを具え、風力駆動ユニット中のタービンの羽根に風向位置決め装置が組付けられ、風向に合わせて多角度に適正にガイドされて迎風し、またタービン羽根が強い風力を捕獲できるものとされている。【選択図】図２
0003106824.tif 000002
【実用新案登録請求の範囲】
【請求項１】
風力発電機が風力駆動ユニットと発電機ユニットを具え、該発電機ユニットが高い台座に設置され、風力駆動ユニットはタービンを具え、該タービンが発電機ユニットの機軸部に接続され、タービンに風向位置決め装置が組付けられた、風力発電機の風向位置決め装置において、
該風向位置決め装置が、回転手段と、円弧弁状カバーケースと、二つの風当て板を具え、該回転手段はタービンより下向きに延伸された軸棒に枢設され、該円弧弁状カバーケースは一部が回転手段に接続され、且つ所定のギャップでタービンの局部面に対応し、該二つの風当て板は回転手段の二端に接続され、所定のギャップでタービンの二側方に設けられたことを特徴とする、風力発電機の風向位置決め装置。
【請求項２】
請求項１記載の風力発電機の風向位置決め装置において、回転手段が棒体とされたことを特徴とする、風力発電機の風向位置決め装置。
【請求項３】
請求項１記載の風力発電機の風向位置決め装置において、円弧弁状カバーケースの上部に避雷針が設計されたことを特徴とする、風力発電機の風向位置決め装置。
【請求項４】
請求項１記載の風力発電機の風向位置決め装置において、風当て板が平板状とされたことを特徴とする、風力発電機の風向位置決め装置。
【請求項５】
請求項１記載の風力発電機の風向位置決め装置において、円弧弁状カバーケースの表面が複数の相互に離間する柵板で構成されたことを特徴とする、風力発電機の風向位置決め装置。
【請求項６】
請求項５記載の風力発電機の風向位置決め装置において、柵板の上部に共同で上板が接続されたことを特徴とする、風力発電機の風向位置決め装置。
【請求項７】
請求項５記載の風力発電機の風向位置決め装置において、柵板の底部に共同で底板が接続されたことを特徴とする、風力発電機の風向位置決め装置。
【請求項８】
請求項１記載の風力発電機の風向位置決め装置において、風当て板が弧度を具えたことを特徴とする、風力発電機の風向位置決め装置。
【請求項９】
請求項１記載の風力発電機の風向位置決め装置において、二つの風当て板が上下に反対に設置されたことを特徴とする、風力発電機の風向位置決め装置。
【考案の詳細な説明】
【技術分野】
【０００１】
本考案は一種の風力発電機の風向位置決め装置に係り、特にタービンの羽根が自然に受風面を調整可能で、且つ強力な風力を獲得できる装置に関する。
【背景技術】
【０００２】
エネルギー資源は有限で、多くのエネルギー資源の専門家は既存の火力、水力、核エネルギー、太陽エネルギー等の発電方式のほかに、電力を発生する方法を探しつづけている。そのうち風力発電は無尽蔵であり、且つ公害性が低く、環境保護、生態保護に関わる人々により推奨されている。
【０００３】
図１に示される風力発電機１は、風力駆動ユニット１１と発電機ユニット１２を具え（発電機ユニットについての説明は省略する）、該発電機ユニット１２は高い建築物１３（例えば図示される建築物の屋上或いは直立する高いロッド）に設けられる。風力駆動ユニット１１にはタービン１１１が設けられ、該タービン１１１に複数のユニット羽根１１２が設けられ、且つタービン１１１は軸１１３で発電機ユニット１２の機軸部に接続、配置され、発電機ユニット１２の機軸部運転を形成して電力を発生する。
【０００４】
前述の周知の風力発電機は、風力でタービンを駆動し、これにより発電機ユニットの機軸部を運転させて、発電機ユニットに発電させる。しかし、このような周知の技術には、風向と風力が経常的に不確定な状態にあり、且つ大自然の風量、風力は集束させて使用しにくいという問題がある。
【考案の開示】
【考案が解決しようとする課題】
【０００５】
周知の風力発電機には風向、風力を制御できず、且つ風力を集中させて有効に運用することが難しいという欠点がある。このため本考案は、周知の技術を改善した構造として、一種の風力発電機の風向位置決め装置を提供するものである。本考案の設置により、周知の技術の数々の問題を解決することができる。
【０００６】
即ち、本考案の主要な目的は、一種の風力発電機の風向位置決め装置を提供することにある。本考案によると、風力発電機は風力駆動ユニットと発電機ユニットを具え、該発電機ユニットが高い台座に設置され、風力駆動ユニットはタービンを具え、該タービンが発電機ユニットの機軸部に接続され、タービンに風向位置決め装置が組付けられている。本考案の特徴は、該風向位置決め装置が、回転手段と、円弧弁状カバーケースと、二つの風当て板を具え、該回転手段がタービンより下向きに延伸された軸棒に枢設され、該円弧弁状カバーケースは一部が回転手段に接続され、且つ所定のギャップでタービンの局部面に対応し、該二つの風当て板は回転手段の二端に接続され、所定のギャップでタービンの二側方に設けられたことにある。
【課題を解決するための手段】
【０００７】
請求項１の考案は、風力発電機が風力駆動ユニットと発電機ユニットを具え、該発電機ユニットが高い台座に設置され、風力駆動ユニットはタービンを具え、該タービンが発電機ユニットの機軸部に接続され、タービンに風向位置決め装置が組付けられた、風力発電機の風向位置決め装置において、
該風向位置決め装置が、回転手段と、円弧弁状カバーケースと、二つの風当て板を具え、該回転手段はタービンより下向きに延伸された軸棒に枢設され、該円弧弁状カバーケースは一部が回転手段に接続され、且つ所定のギャップでタービンの局部面に対応し、該二つの風当て板は回転手段の二端に接続され、所定のギャップでタービンの二側方に設けられたことを特徴とする、風力発電機の風向位置決め装置としている。
請求項２の考案は、請求項１記載の風力発電機の風向位置決め装置において、回転手段が棒体とされたことを特徴とする、風力発電機の風向位置決め装置としている。
請求項３の考案は、請求項１記載の風力発電機の風向位置決め装置において、円弧弁状カバーケースの上部に避雷針が設計されたことを特徴とする、風力発電機の風向位置決め装置としている。
請求項４の考案は、請求項１記載の風力発電機の風向位置決め装置において、風当て板が平板状とされたことを特徴とする、風力発電機の風向位置決め装置としている。
請求項５の考案は、請求項１記載の風力発電機の風向位置決め装置において、円弧弁状カバーケースの表面が複数の相互に離間する柵板で構成されたことを特徴とする、風力発電機の風向位置決め装置としている。
請求項６の考案は、請求項５記載の風力発電機の風向位置決め装置において、柵板の上部に共同で上板が接続されたことを特徴とする、風力発電機の風向位置決め装置としている。
請求項７の考案は、請求項５記載の風力発電機の風向位置決め装置において、柵板の底部に共同で底板が接続されたことを特徴とする、風力発電機の風向位置決め装置としている。
請求項８の考案は、請求項１記載の風力発電機の風向位置決め装置において、風当て板が弧度を具えたことを特徴とする、風力発電機の風向位置決め装置としている。
請求項９の考案は、請求項１記載の風力発電機の風向位置決め装置において、二つの風当て板が上下に反対に設置されたことを特徴とする、風力発電機の風向位置決め装置としている。
【考案の効果】
【０００８】
本考案は、周知の風力発電機における風向、風力を制御できず、且つ風力を集中させて有効に運用することが難しいという欠点を改善することができ、風向、風力を有効に制御し、風力を集中させて有効に運用することができる。
【考案を実施するための最良の形態】
【０００９】
図２、３、４、８に示されるように、本考案は風力発電機の風向位置決め装置を提供し、該風力発電機２は、風力駆動ユニット２１と発電機ユニット２２を具え、該発電機ユニット２２は本考案の標的ではないため説明を省略する。該発電機ユニット２２は図４に示されるように、高い台座２３、或いは図５に示される一般の台座２３Ａに設けられる。風力駆動ユニット２１は、タービン２１１を具え、該タービン２１１に複数のユニット羽根２１２が設けられ、且つタービン２１１は軸２１３で発電機ユニット２２の機軸部に接続され、風力でタービン２１１が駆動され運転することで、発電機ユニット２２の機軸部を運転させて電力を発生する。またタービン２１１に風向位置決め装置２４が設けられ、該風向位置決め装置２４は、回転手段２４１、円弧弁状カバーケース２４２、二つの風当て板２４４を具えている。
【００１０】
該回転手段２４１は、タービン２１１より下向きに延伸された軸２１３に枢設され、該回転手段２４１は棒体とされうる。
【００１１】
該円弧弁状カバーケース２４２は、一部が回転手段２４１に接続され、且つ所定のギャップでタービン２１１の局部面に対応し、該円弧弁状カバーケース２４２の好ましい実施形態は表面が複数の相互に離間された柵板２４３とされ、各柵板２４３の上部と底部に共同で上板２４６と底板２４７が接続されている。
【００１２】
二つの風当て板２４４は、回転手段２４１の二端に接続されて所定のギャップを以てタービン２１１の二側方に設けられる。
【００１３】
また、円弧弁状カバーケース２４２の上部に安全と警告表示のために避雷針２４５が設けられている。
【００１４】
図９に示されるように、本考案の風当て板２４４Ａは円弧を具備するよう実施されうる。
【００１５】
図１０に示されるように、本考案の二つの風当て板２４４Ａは上と下が反対に設置された状態で実施可能である。
【００１６】
図６に示されるように、本考案を運用することで、風力が風当て板２４４の対応側より吹きつけるとき、風当て板２４４の抵抗を受け、これにより風力が風当て板２４４に吹きつけて図６に示されるように風当て板２４４を偏向させる。風力が二つの風当て板２４４の間に吹きつける時、その結果もまた図６に示されるようである。これにより本考案の風当て板２４４は十分に風力を集中させ注入させることができる。風当て板２４４が偏向する時、円弧弁状カバーケース２４２は風当て板２４４と同様に回転手段２４１に接続されているため、風当て板２４４に伴い同期に偏向する。
【００１７】
更に図６に示されるように、本考案の円弧弁状カバーケース２４２とタービン２１１はその図形の形状が異なり、作用もまた異なり、円弧弁状カバーケースの実施形態は表面が複数の相互に離間する柵板２４３（即ち複数の葉状のユニット薄板）が順に斜めに配列されて円形を呈するものとされ、これにより風力を柵板２４３の柵孔より進入させ、タービン２１１に対して助力を形成する。柵板２４３のユニット薄板の作用は風当て（即ち風の抵抗力を形成する）であり、各ユニット薄板の間隙は風を斜めに導入させてタービンの運転と同じ方向とする（図６の矢印に示されるとおり）。
【００１８】
タービン２１１は多片円弧形羽根で実施可能で（円弧形落下傘に類似）、円形に構成され、羽根は十分に風を捕捉し、風の推力により推進力を形成する。
【００１９】
また、本考案の風当て板２４４の主要な機能は円弧弁状カバーケース２４２の迎風面に風力を受け取らせることにあり、タービン２１１を導正することではない。
【００２０】
また、流体が細いチャネルを通過するとき流速が増す特性に基づき、二つの風当て板がタービンの二側方にある時、中央に細いチャネル効果が形成され、風力はこのとき大きな流速効果を発生する。
【００２１】
これにより風向に合わせて高角度の角度校正を行なって迎風でき、且つ角度校正後に、タービンに強力な風力を獲得させられ、これにより本考案はタービン及び発電機の運転速度を高めることができ、高い実用性を有する。
【００２２】
総合すると、本考案は上述の実用的な機能を達成し、且つその構造は未公開であり、実用新案登録の要件に符合するものである。なお、以上の実施例は本考案の請求範囲を限定するものではなく、本考案に基づきなしうる細部の修飾或いは改変は、いずれも本考案の請求範囲に属するものとする。
【図面の簡単な説明】
【００２３】
【図１】周知の装置の局部断面図である。
【図２】本考案の立体分解図である。
【図３】本考案の立体組合せ図である。
【図４】本考案の高い台座に組付けられた状態の立体図である。
【図５】本考案の一般の台座に組付けられた状態の立体図である。
【図６】本考案の風力が助力を形成する状態の平面図である。
【図７】本考案の風力が助力を形成する状態の平面動作表示図である。
【図８】本考案の組合せ平面断面図である。
【図９】本考案の実施例図である。
【図１０】本考案の別の実施例図である。
【符号の説明】
【００２４】
１  風力発電機
１１  風力駆動ユニット
１１１  タービン
１１２  ユニット羽根
１１３  軸
１２  発電機ユニット
１３  建築物
２  風力発電機
２１  風力駆動ユニット
２１１  タービン
２１２  ユニット羽根
２１３  軸
２２  発電機ユニット
２３  高い台座
２３Ａ  一般の台座
２４  風向位置決め装置
２４１  回転手段
２４２  円弧弁状カバーケース
２４３  柵板
２４４  風当て板
２４４Ａ  風当て板
２４４Ｂ  風当て板
２４５  避雷針
２４６  上板
２４７  底板
【図１】
0003106824.tif 000003
【図２】
0003106824.tif 000004
【図３】
0003106824.tif 000005
【図４】
0003106824.tif 000006
【図５】
0003106824.tif 000007
【図６】
0003106824.tif 000008
【図７】
0003106824.tif 000009
【図８】
0003106824.tif 000010
【図９】
0003106824.tif 000011
【図１０】
0003106824.tif 000012